(57)【特許請求の範囲】
【請求項１】
仕切壁で区画された２条の球通路を有し、かつ球タンクのパチンコ球をパチンコ球払出装置に導く移送樋に球止部材を装着して球止めするようにしたパチンコ機において、
前記球止部材は基板の下面に移送樋の球通路にそれぞれ突入してパチンコ球の流下を阻止する２本の球止ピンを垂設して形成し、該球止ピンがパチンコ球のほぼ半径分ずれて球通路に突入され、かつ球通路内での向きを左右に変更し得る係合孔を設け、これらの係合孔に仕切壁を跨いで左右何れかの向きで球止ピンを差し込むことで球通路内を閉塞して球止めするように構成したことを特徴とするパチンコ機における移送樋の球止構造。
【発明の詳細な説明】
【０００１】
【発明の属する技術分野】
本発明は、球タンクのパチンコ球をパチンコ球払出装置に導く移送樋の球止構造に関するものである。
【０００２】
【従来の技術】
従来、パチンコ機の遊技盤裏面には周知のように合成樹脂製の機構板が装着されており、該機構板の上部に球タンクが固着されている。また、球タンクの下方には該球タンク内に貯留されるパチンコ球をパチンコ球払出装置に導く移送樋が設けられており、該移送樋上に差し渡した横軸に球止部材を回動自在に設けている。
【０００３】
前記球止部材は、移送樋の球通路に対応する球止片が一体に設けられており、例えば、パチンコ球払出装置に球噛み等の故障が発生して修理を行なう必要が生じた場合には、球止部材を球止め位置に回動して球止片を移送樋の各球通路に突入させ、それによってパチンコ球の流下を阻止するようになっている。
【０００４】
【発明が解決しようとする課題】
ところで、最近のパチンコ機に使用されているパチンコ球払出装置は、外周にパチンコ球を受け入れる複数の凹状の球受部が形成されたスプロケット或いは外周にパチンコ球を支持する突条が螺旋状に形成されたリードスクリューをモーターで回転させることにより移送樋の球通路のパチンコ球を１個ずつ払い出す構造となっている。即ち、移送樋の球通路が例えば２条の場合、各球通路のパチンコ球はスプロケット或いはリードスクリューの回転に伴ない所定ピッチ（例えばパチンコ球の半径分）移動しながら１個ずつ払い出されるものであるから、パチンコ球の払い出し個数によって２列の球通路のパチンコ球の停止位置がパチンコ球の半径分ずれることになる。
【０００５】
しかしながら、従来の球止部材のように球止片による球止め位置が常に決められているものでは、パチンコ球の停止位置によっては球止片が球通路のパチンコ球に突き当たって球止めすることができないという問題点があった。
【０００６】
本発明は、上記した問題点に鑑みなされたもので、その目的とするところは、２列の球通路のパチンコ球がそれぞれ所定ピッチずつ左右交互にずれた状態で停止されるような場合に、確実に球止めすることができるようなパチンコ機における移送樋の球止構造を提供することにある。
【０００７】
【課題を解決するための手段】
上記した目的を達成するために、本発明のパチンコ機における移送樋の球止構造は、仕切壁で区画された２条の球通路を有し、かつ球タンクのパチンコ球をパチンコ球払出装置に導く移送樋上に球止部材を装着して球止めするようにしたパチンコ機において、前記球止部材は基板の下面に移送樋の球通路にそれぞれ突入してパチンコ球の流下を阻止する２本の球止ピンを垂設して形成し、該球止ピンがパチンコ球のほぼ半径分ずれて突入され、かつ球通路内での向きを左右に変更し得る係合孔を球通路の上面壁又は底壁に設け、これらの係合孔に仕切壁を跨いで何れかの向きで球止ピンを差し込むことで球通路内を閉塞して球止めを行なわせるようにしたものである。
【０００８】
前記係合孔は、仕切壁又は各球通路の前後側壁の内側に近接させた位置に設けるのが好ましい。
【０００９】
前記移送樋は、球タンクのパチンコ球を整列して導き出すタンクレール部と、該タンクレール部の球圧を減少しながらパチンコ球払出装置に導くカーブレール部との二部材によって構成し、該カーブレール部又はタンクレール部に球止部材を設けるようにする。
【００１０】
【発明の実施の形態】
次に、本発明の実施の形態を先ず、カーブレール部に設けるものについて図面と共に説明する。図１は本発明が適用されるパチンコ機の裏面図である。図において、１はパチンコ機の前面枠、２は前面枠１の裏面に着脱自在に取付けられる遊技盤、３は遊技盤２の裏面に開閉自在に装着された合成樹脂製の機構板である。
【００１１】
前記機構板３の裏面上部には球タンク４が固着されており、該球タンク４の下方に移送樋５が設けてある。この移送樋５は球タンク４内に貯留されるパチンコ球を整列して導き出すタンクレール部５ａと下流端がパチンコ球払出装置６に接続するカーブレール部５ｂとの二部材で構成されている。このため球タンク４のパチンコ球はタンクレール部５ａ，カーブレール部５ｂにより整列されながらパチンコ球払出装置６に連続して供給される。
【００１２】
前記タンクレール部５ａは、図２及び図３に示すように機構板３に当接する後側壁７と底壁８及び前側壁９とにより上面が開口した樋状に形成されると共に、底壁８の内底面には長手方向に仕切壁１０を設けて２列の球通路１１ａ，１１ｂが形成されている。一方、前記カーブレール部５ｂは、タンクレール部５ａの球通路１１ａ，１１ｂを流下するパチンコ球の球圧を弱めるためのもので、外板１２と裏板１３との間に仕切壁１４を設けてタンクレール部５ａの球通路１１ａ，１１ｂに連通する球通路１５ａ，１５ｂが形成されている。
【００１３】
前記パチンコ球払出装置６は、図９及び図１０に示すように本体ベース１６と駆動モーター１７とリードスクリュー１８とによって大略構成されている。本体ベース１６にはカーブレール部５ｂの球通路１５ａ，１５ｂに接続する２列の供給通路１９ａ，１９ｂがそれぞれ形成されている。前記駆動モーター１７は本体ベース１６にビス止めされており、これの出力軸にリードスクリュー１８が固着されている。このリードスクリュー１８は供給通路１９ａ，１９ｂの最先端部のパチンコ球を支持する突条２０を螺旋状に設けて構成され、該突条２０はリードスクリュー１８が回転することによって供給通路１９ａ，１９ｂの最先端部のパチンコ球を交互に１個ずつ払い出すようにその螺旋形状が選ばれる。
【００１４】
しかして、本実施の形態では、図２に示すようにカーブレール部５ｂのタンクレール部５ａに連なる上流部で前記外板１２，裏板１３が屈曲延長される上面壁１２ａ，１３ａに仕切壁１４の両側に近接しかつ対向位置させて、球通路１５ａ，１５ｂの長手方向にパチンコ球のほぼ半径分の長さを有する長孔２１ａ，２１ｂを設ける。そして、これらの長孔２１ａ，２１ｂの中心に位置して仕切壁１４上に、後述する球止部材２３に設けた盲孔２７に嵌挿させるピン２２を突設している。前記長孔２１ａ，２１ｂは、後述する球止部材２３の各球止ピン２５，２５を仕切壁１４を跨いで何れかの向きで対角に挿し込む係合孔である。従って、図２に示した仕切壁１４沿いに限られることなく、各球通路１５ａ，１５ｂの外板１２又は裏板１３の内側沿いに設けるようにしてもよい。
【００１５】
前記球止部材２３は図４に示すように平面楕円形をなす基板２４の下面に球止ピン２５，２５を平行に垂設すると共に、基板２４の上面中央に摘み片２６を立設して一体に形成され、さらに、基板２４を貫通して摘み片２６に達する盲孔２７を設けている。該球止部材２３は、球止ピン２５，２５を前記長孔２１ａ，２１ｂから各球通路１５ａ，１５ｂに突入させ、パチンコ球の流下を停止させるためのものである。
このように形成した球止部材２３は不使用時には図２及び図３に示すように、基板２４の一側に接続したバンド片２８の先端に係止孔２９を設けて、この係止孔２９をカーブレール部５ｂの上部に突設した突起３０に係合させて吊り下げておくようにする。
【００１６】
このように構成される実施の形態では、カーブレール部５ｂの各球通路１５ａ，１５ｂを流下するパチンコ球が例えば図５（ａ），（ｂ）に示すようにほぼパチンコ球の半径分ずつ交互にずれて停止するような場合に、球止ピン２５，２５をパチンコ球の停止位置に合わせて長孔２１ａ，２１ｂからパチンコ球の隙間に何れかの向きで対角に挿し込めば各球通路１５ａ，１５ｂに突入させることができ、これによって各球通路１５ａ，１５ｂを流下するパチンコ球を図６に示すように球止めすることができる。また、球止ピン２５，２５を長孔２１ａ，２１ｂに挿し込むと同時に球止部材２３の盲孔２７が仕切壁１４上に突出するピン２２に挿通され、球止部材２３が固定され確実に球止めすることができる。
【００１７】
また、球止ピン２５，２５の係合孔は長孔２１ａ，２１ｂに限らず、各長孔２１ａ，２１ｂの前後両端に位置してほぼパチンコ球半径分ずれた単孔を仕切壁１４を跨いで２個ずつ設けるようにしてもよい。
さらに、図７に示すように球通路１５ａ，１５ｂの底壁１２ｂ，１３ｂに、前記上面壁１２ａ，１３ａに設けた長孔２１ａ，２１ｂに対向位置させて該長孔２１ａ，２１ｂの前後両端に対応位置させて係合孔３１を２個ずつ設け、これらの係合孔３１の対角に位置するものに球止ピン２５，２５の先端部を貫通させるようにしてもよい。このように構成したものは、各球止ピン２５，２５の先端が係合孔３１，３１に貫通支持されてしっかりと固定され確実に球止めすることができる。なお、この場合、前記仕切壁１４上に突出するピン２２及び球止部材２３の盲孔２７は不用となり球止ピン２５，２５の長さは図６に示したものより若干長くしたものを使用するようにする。
【００１８】
図８に示したものは球通路１５ａ，１５ｂの長手方向に直線状に設けられた長孔２１ａ，２１ｂに代えて、仕切壁１４を挟んで対向する円弧状に長孔２１Ａ，２１Ｂを形成している。
このように対向する円弧状に形成した長孔２１Ａ，２１Ｂは直線状の長孔２１ａ，２１ｂと同様に、図８（ａ）及び（ｂ）に示すようにパチンコ球が各球通路１５ａ，１５ｂをほぼパチンコ球の半径分ずつ交互にずれて停止する場合は、球止部材２３の球止ピン２５，２５を各長孔２１Ａ，２１Ｂの端部に対角に挿し込んで球止めすることができ、さらに、図８（ｃ）に示すように各球通路１５ａ，１５ｂをパチンコ球がずれずに平行して停止する場合は、パチンコ球の停止位置に合わせて各長孔２１Ａ，２１Ｂの中間位置に球止ピン２５，２５を挿し込むことで各球通路１５ａ，１５ｂに突入させることができる。これによって各球通路１５ａ，１５ｂを流下する如何なるパチンコ球も確実に球止めすることができる。
【００１９】
次に、図１１ないし図１４により本発明の第２実施の形態について説明する。この第２実施の形態では球止部材２３をタンクレール部５ａに使用するものである。
この第２実施の形態では図１１に示すように、タンクレール部５ａの下流側で仕切壁１０の両側に近接させて球通路１１ａ，１１ｂの底壁８に係合孔３２をパチンコ球のほぼ半径分離して２個ずつかつ互いに対向位置するように貫通させる。そして、球止部材２３は不使用時には前側壁９に突設した突起３３に吊り下げておくようにする。
【００２０】
しかして、タンクレール部５ａの各球通路１１ａ，１１ｂを流下するパチンコ球が例えば図１２（ａ），（ｂ）に示すようにほぼパチンコ球の半径分ずつ交互にずれて停止した場合にパチンコ球の停止位置に合わせて球止部材２３の球止ピン２５，２５をパチンコ球の隙間から左右何れかの向きで対角の係合孔３２，３２に挿し込めば各球通路１１ａ，１１ｂを閉塞することができ、これによつて各球通路１１ａ，１１ｂを流下するパチンコ球を図１３に示すように確実に球止めすることができる。
【００２１】
【発明の効果】
以上、説明したように本発明に係わるパチンコ機における移送樋の球止構造は、移送樋のカーブレール部又はタンクレール部に仕切壁を跨いで設けたパチンコ球が半径分ずれても挿入できる係合孔に球止部材の各球止ピンを挿し込むことによって、球通路のパチンコ球が所定ピッチ左右どちらにずれて停止してもその停止位置に関係なく容易にかつ確実に球止めすることができる。
【図面の簡単な説明】
【図１】本発明が適用されるパチンコ機の裏面図。
【図２】移送樋のカーブレール部を中心にして示す斜視図。
【図３】カーブレール部への球止部材の使用状態を示す断面図。
【図４】球止部材の斜視図。
【図５】（ａ），（ｂ）は球止部材の作用を説明する平面図。
【図６】図５の要部断面図。
【図７】図６と異なる実施の形態の図６に対応する要部断面図。
【図８】（ａ），（ｂ），（ｃ）は長孔を円弧状に形成した移送樋の球止部材の作用を説明する平面図。
【図９】パチンコ球払出装置の斜視図。
【図１０】パチンコ球払出装置の断面図。
【図１１】第２実施の形態に係わる移送樋のタンクレール部の部分斜視図。
【図１２】（ａ），（ｂ）は第２実施の形態に係わる球止部材の作用を説明する平面図。
【図１３】図１２の要部断面図。
【図１４】図１２の断面正面図。
【符号の説明】
４                球タンク
５                移送樋
６                パチンコ球払出装置
８                底壁
１０，１４        仕切壁
１１ａ，１１ｂ    球通路
１２ａ，１３ａ    上面壁
１５ａ，１５ｂ    球通路
２１ａ，２１ｂ    長孔
２３              球止部材
２４              基板
２５，２５        球止ピン
３１，３２        係合孔
【図１】
0003990756.tif 000002
【図２】
0003990756.tif 000003
【図３】
0003990756.tif 000004
【図４】
0003990756.tif 000005
【図６】
0003990756.tif 000006
【図７】
0003990756.tif 000007
【図５】
0003990756.tif 000008
【図８】
0003990756.tif 000009
【図９】
0003990756.tif 000010
【図１０】
0003990756.tif 000011
【図１１】
0003990756.tif 000012
【図１２】
0003990756.tif 000013
【図１３】
0003990756.tif 000014
【図１４】
0003990756.tif 000015